(57)【要約】      （修正有）【課題】砂糖をサラサラにする密閉性の高い容器を提供する。【解決手段】密閉性の高い容器内に水分を含んだスポンジを収納した器９を設置することで、固まった砂糖１１をサラサラにした。本考案の器９は、名刺箱の様に内箱に外箱を被せた状態の器で、水分を含んだスポンジを収納している。尚、外箱を被せた時、内箱と外箱が簡単に外れないようする為、外箱の横内寸法を内箱の横外寸法より若干小さくした。さらに、水分を含んだスポンジの湿気が砂糖に浸透する空間を確保する為、上面を取り外している。【選択図】図４
0003193223.tif 000002
【実用新案登録請求の範囲】
【請求項１】
水分を含んだスポンジと前記スポンジを収納する器を備えたことを特徴とする密閉性の高い容器。
【請求項２】
請求項１記載の水分を含んだスポンジを収納する器は、孔や空間を設けていることを特徴としている。
【考案の詳細な説明】
【技術分野】
【０００１】
本考案は、砂糖をサラサラにする密閉性の高い容器に関するものである。
【背景技術】
【０００２】
硬く固まった砂糖をスプーンや箸で解そうとする時、簡単にサラサラに出来ず困る場合があった。
【０００３】
文献１は、容器蓋に横向きのメッシュ形ポケットを設けた構成で食品容器内、ゴミ容器内の静菌、殺菌、脱臭用を目的として開発されている。
【先行技術文献】
【特許文献】
【０００４】
【特許文献１】実登  第3060769号
【考案の概要】
【考案が解決しようとする課題】
【０００５】
しかし、上記は容器蓋に限定してメッシュ形ポケットを配置した構成で、前記ポケットにワサビを収納してワサビガスによる容器内の静菌、殺菌、脱臭用として開発しているが、本考案は、水分を含んだスポンジと前記スポンジを収納する器を備えた密閉性の高い容器との構成によって前記容器内の砂糖をサラサラにすることにある。
【０００６】
砂糖が硬くなる原因は、砂糖に含まれる水分が乾燥すると、砂糖を蜜状に覆っている表面が乾燥して、ショ糖がお互い接着剤のようになってくっつく性質のためである。
【０００７】
固まった砂糖をサラサラにする実験として、霧吹きを掛けてしばらくすると、お互い接着剤のようにくっついたショ糖の表面が湿気によって蜜状に覆われてサラサラになるが、霧吹きの水量が多いと砂糖がベタつく課題が発生する。
従って、砂糖を入れた密閉性の高い容器内で一定の湿気を保持すれば課題は解決する。
【課題を解決するための手段】
【０００８】
水分を含んだスポンジと前記スポンジを収納する器を備えたことを特徴とする密閉性の高い容器を提供する。
【０００９】
さらに水分を含んだスポンジを収納する器は、孔や空間を設けていることを特徴としている。
【００１０】
本考案の前記器は、衛生上の観点から砂糖と水を含んだスポンジが重なり合う部分はお互いが触れないように仕切され、砂糖と前記スポンジが重ならない部分は、孔、格子状、網状、などの空間を設けている。
【００１１】
また、前記器の形状は、箱型として立法形、円筒形、台型立法形、楕円立法形円錐形などがあり、箱型以外にトレー形、棚形、網形などがある。
前記器は、水分を含んだスポンジを収納できる形状であれば良い。
【００１２】
なお、前記器の材料はプラスチックを使用し、箱型形状の場合は前記スポンジと前記器の洗浄を行い易いように前記器の外箱を内箱から取り外す構造としている。
【００１３】
さらに材料であるプラスチックの柔軟性を利用して、外箱の上面と内箱の上面を開口部面とし、外箱の横内寸法を内箱の横外寸法より若干小さくすることによって外箱は内箱を包むようにタイトに嵌合して外箱自体が係止部となる構成である。
なお、外箱、内箱の開口部面は器の箱を閉じた時、お互いが重なる中の一面であり、砂糖と触れない面とする。
また、トレー形、棚形の場合は前記容器からトレー、棚を外せれば良い。
【００１４】
そして、前記器は密閉性の高いプラスチック容器内に一体形成しても良い。
一体形成の場合も器とスポンジの洗浄を行い易いように外箱を内箱から取り外す構造で、外箱が内箱を包むようにタイトに嵌合する係止部も００１３と同様であり、密閉性の高い容器の形状が円錐形や円筒形などの場合も周縁の形状に合わせた外箱と内箱の組合せにすれば良い。
【考案の効果】
【００１５】
密閉性の高い容器内で一定の湿気を保持する具体的な方法は、前記器に水分を含んだスポンジを水滴が垂れない程度に軽く絞って前記器に収納して設置すると前記容器内は一定の湿気を保持するので砂糖は確実にサラサラになる。
【００１６】
また、水分を含んだスポンジ以外に柔らかい食パン、水分を含んだ生野菜も砂糖がサラサラになる効果があるが、費用、匂いの移り、カビの発生など新たな課題が発生する。
【００１７】
本考案の前記器は、プラスチックを原材料とすれば安価に入手可能である。
【図面の簡単な説明】
【００１８】
【図１】外箱図
【図２】内箱図
【図３】全体組立斜視図
【図４】密閉性の高い容器内に本考案の器を接着した図
【図５】スポンジ図
【考案を実施するための最良の形態】
【００１９】
以下、本考案の実施の形態を実施例となる添付図面に従って説明する。
実施例の材料はプラスチックである。
【実施例】
【００２０】
図１、外箱図
横内寸20〜100mm、縦内寸20〜110mm、幅内寸（奥行き）5〜30mm、
プラスチック材料の厚み0，4〜3mm、
正面及び上面は開口面、背面、底面、右側面、左側面で形成された方形凹型である。
図２、内箱図
横外寸20，5〜101mm、縦外寸18〜109mm、幅外寸（奥行き）5〜30mm、プラスチック材料の厚み0，4〜3mm、
背面及び上面は開口面、正面、底面、右側面、左側面で形成された方形凹型である。
図３、全体斜視図
本考案の器は、名刺箱の様に内箱に外箱を被せた状態の器で、水分を含んだスポンジを収納している。
尚、外箱を被せた時、内箱と外箱が簡単に外れないようする為、外箱の横内寸法を内箱の横外寸法より若干小さくした。
さらに、水分を含んだスポンジの湿気が砂糖に浸透する空間を確保する為、実施例は上面を取り外している。
図４、密閉性の高い容器における使用図
密閉性の高い容器内に本考案の器を接着。
図５スポンジ図
横18〜98mm、縦18〜108mm、幅（奥行き）4〜24mm
水分を含んだ動物型スポンジ
【産業上の利用可能性】
【００２１】
本考案の水分を含んだスポンジと前記スポンジを収納した器を密閉性の高い容器内設置にすると砂糖を確実にサラサラにすることが出来る。
実施例では、前記容器内の固まった砂糖は約７時間でサラサラになった。
【符号の説明】
【００２２】
１  外箱の背面
２  外箱の左側面
３  外箱の右側面
４  外箱の底面
５  内箱の正面
６  内箱の右側面
７  内箱の左側面
８  内箱の底面
９  密閉性の高い容器内に接着した器の縦断面
１０  砂糖
１１  密閉性の高い容器の縦断面
１２  水分を含んだ動物型スポンジ
【図１】
0003193223.tif 000003
【図２】
0003193223.tif 000004
【図３】
0003193223.tif 000005
【図４】
0003193223.tif 000006
【図５】
0003193223.tif 000007
【手続補正書】
【提出日】平成26年7月11日(2014.7.11)
【手続補正１】
【補正対象書類名】実用新案登録請求の範囲
【補正対象項目名】全文
【補正方法】変更
【補正の内容】
【実用新案登録請求の範囲】
【請求項１】
水分を含んだスポンジと前記スポンジを収納する器は、名刺箱のように凹型の外箱と内箱からなり、内箱は容器内に接着され、外箱は取り外し可能な構成であり、前記器の係止部は外箱と内箱をタイトに嵌合する為、外箱周縁の一部を開口し、さらに外箱の一方の内寸を内箱の一方の外寸より若干短かくしている、前記スポンジを収納する器を容器内の上部壁面又は、天蓋内面に備えていることを特徴とする密閉性の高い容器。
【請求項２】
水分を含んだスポンジを収納する器は、孔や空間を設けていることを特徴とする、請求項１記載の密閉性の高い容器。
【手続補正２】
【補正対象書類名】明細書
【補正対象項目名】０００８
【補正方法】変更
【補正の内容】
【０００８】
水分を含んだスポンジと前記スポンジを収納する器は、名刺箱のように凹型の外箱と内箱からなり、内箱は容器内に接着され、外箱は取り外し可能な構成であり、前記器の係止部は外箱と内箱をタイトに嵌合する為、外箱周縁の一部を開口し、さらに外箱の一方の内寸を内箱の一方の外寸より若干短かくしている、前記スポンジを収納する器を容器内の上部壁面又は、天蓋内面に備えていることを特徴とする密閉性の高い容器を提供する。